(57)【要約】【課題】除湿機の水平ルーバーの故障を防止する。【解決手段】水平ルーバー１６は回動によって上方から後ろ側水平方向の間の風向を変化し、少なくとも運転停止時には後ろ側水平方向吹出位置にて上面部に収納されるものであり、送風ファン１０からの送風は前面側下方から上面中央側へ送風され、送風ファン側吹出口１３ａから背面側吹出口１３ｂの間の送風経路１８には、前記水平ルーバー背面側端部１６ａの下方に段部２０を設けたことで、取手２１を持ち上げる際に指先が水平ルーバー１６の底面を押し上げて水平ルーバー１６を破損することを防止する。【選択図】図３
2015098998.tif 000002
【特許請求の範囲】
【請求項１】
送風ファンを備えた本体と、この本体に備えた略平面の上面部と、この上面部の略中央から背面上部にわたって吹出口を形成し、この吹出口内で前記上面部の略中央部分に水平ルーバーを設け、転倒時には前記上面部の背面側端部に、起立時には上面中央上方に位置する回動自在でコの字型の取手を設けた除湿機に於いて、前記水平ルーバーは回動によって上方から後ろ側水平方向の間の風向を変化し、少なくとも運転停止時には後ろ側水平方向吹出位置にて上面部に収納されるものであり、前記送風ファンからの送風は前面側下方から上面中央側へ送風され、送風ファン側吹出口から背面側吹出口の間の送風経路には、前記水平ルーバー背面側端部の下方に段部を設けたことを特徴とする除湿機。
【請求項２】
前記段部は送風経路内の多数のリブによってケーシングと一体に形成することを特徴とする請求項１記載の除湿機。
【発明の詳細な説明】
【技術分野】
【０００１】
この発明は、上面に取手を備えた除湿機の構造に関する。
【背景技術】
【０００２】
従来よりこの種のものに於いては、本体の天面に細長く形成された空気吹出口の三方を囲むように設けられた通風枠部と、この通風枠部の長手方向の両端部に形成される壁面に設けた支持孔に設けられる軸受部と、この軸受部に回動自在に軸支される軸部を設けた主風向板と、この主風向板に所定間隔をあけて取り付けられる副風向板とにより形成される風向変更部とを備え、前記風向変更部は主風向板のみを弾性変形させて前記軸受部に軸部を介して軸支し、この軸支された主風向板に前記副風向板を取り付け、風向変更部が略垂直状態において、副風向板を取手と間違えて持ち上げたときには、前記副風向板が外れる係合状態で主風向板に取り付けられている構成とすることで、風向板を持ち上げても破損せず使用できるものであった。（例えば、特許文献１参照）
また、図４のように取手Ａと風向方向が同じ方向で、取手Ａを握るろうとする際に水平方向に指が水平ルーバーＢの底面に入り込み回動方向の荷重が作用して水平ルーバーＢを破損させる問題が有った。
【先行技術文献】
【特許文献】
【０００３】
【特許文献１】特開２００４−２５１５８５号公報
【発明の概要】
【発明が解決しようとする課題】
【０００４】
ところでこの従来の前者のものでは、大きな荷重によって風向板が外れることで水平ルーバーの破損を防止しているが、いったん外れた風向板を元の正常な位置に取付直すには技術が必要で老人や子供では難しいものであった。
また、後者は前者ほど強い荷重がかかるものではないが、水平ルーバーの後端部分に回転方向荷重が発生することで水平ルーバーが破損する問題があった。
【課題を解決するための手段】
【０００５】
この発明はこの点に着目し上記欠点を解決する為、特にその構成を、送風ファンを備えた本体と、この本体に備えた略平面の上面部と、この上面部の略中央から背面上部にわたって吹出口を形成し、この吹出口内で前記上面部の略中央部分に水平ルーバーを設け、転倒時には前記上面部の背面側端部に、起立時には上面中央上方に位置する回動自在でコの字型の取手を設けた除湿機に於いて、前記水平ルーバーは回動によって上方から後ろ側水平方向の間の風向を変化し、少なくとも運転停止時には後ろ側水平方向吹出位置にて上面部に収納されるものであり、前記送風ファンからの送風は前面側下方から上面中央側へ送風され、送風ファン側吹出口から背面側吹出口の間の送風経路には、前記水平ルーバー背面側端部の下方に段部を設けたものである。
【発明の効果】
【０００６】
この発明によれば、送風ファン側吹出口から背面側吹出口の間の送風経路で、水平ルーバー背面側端部の下方に段部を設けたので、背面側の吹出口から指を差し入れて取手を握るろうとする際に、段部が指先の入り込みを防止してするので、指先が水平ルーバーの底面に入り込み水平ルーバーを下方から押上げることで、回動方向の荷重によって水平ルーバーを破損させる危険性が極めて少なくなるものである。
【図面の簡単な説明】
【０００７】
【図１】この発明一実施例の背面側の斜視図。
【図２】同側面の断面図。
【図３】同取手を持ち上げる際の要部拡大断面図。
【図４】従来例の要部拡大断面図。
【発明を実施するための形態】
【０００８】
次にこの発明に係る除湿機を図面に示された一実施例で説明する。
１は除湿機の枠体で底板２上に前方の前ケース３と後方の後ケース４と上面を覆う天板５を設けて本体の外郭を構成している。
６は前記枠体１背面に形成された吸込口で、前記後ケース４に横長のスリットを多数備えた開口が設けられている。
【０００９】
前記吸込口６の内側には樹脂製の網や不織布から成り吸入空気に混入するホコリを取り除くフィルタ７を備えている。このフィルタ７の内側にはフィンチューブ式の熱交換器からなる蒸発器８を備え、吸込空気を冷却することにより空気中の水分を結露させ除湿を行う。
【００１０】
前記蒸発器８の更に下流には蒸発器８と同じくフィンチューブ式の熱交換器からなる凝縮器９を備え、蒸発器８にて冷却された空気の加熱を行う。
前記凝縮器９下流にはシロッコファン型の送風ファン１０及びこのファン１０を駆動するファンモータ１１を設けている。
【００１１】
前記送風ファン１０の風下側の真上にはシーズヒータから成るヒーター１２を設け、このヒーター１２は衣類乾燥時や冬期間に室温が低くなり除湿の効率が低下する事を防止するものであり、消費電力は約４００〜５００Ｗ程である。
【００１２】
前記前ケース３の内側でファンモータ１１との間には送風ファン１０を包囲して前記吹出口１３側へ送風を導くファンケーシング１４を備え、このファンケーシング１４の中央からやや右側上部にはスタビライザ（図示せず）を設け、上方向の前記ヒーター１２及び吹出口１３へ向かって送風するものである。
【００１３】
前記天板５は略平面の上面部１５と、この上面部１５の略中央から背面上部にわたって前記吹出口１３を形成し、この吹出口１３内で前記上面部１５の略中央部分に水平ルーバー１６を設けている、この水平ルーバー１６は回転軸１７を中心に回動自在であり、回動によって真上方から真後ろ側（背面側）水平方向の間（約９０度）の風向を変化し、除湿機の運転停止時には自動で、後ろ側水平方向吹出位置にて上面部１５に収納される。
【００１４】
前記送風ファン１０からの送風は前面側から上面中央の水平ルーバー１６に向けて送風され、水平ルーバー１６が開いた状態では、乾燥空気を真上方向に送風することで除湿機の上方に位置する洗濯物の乾燥が効率よく行われる。また、水平ルーバー１６が閉じた状態（上面部に収納された状態）では、乾燥空気を真後ろの背面側に送風することで室内全体の除湿や押し入れ等の部分的な除湿運転に適するものである。
【００１５】
前記吹出口１３は回転軸１７の位置より稍前方の送風ファン側吹出口１３ａから、背面上部に位置する背面側吹出口１３ｂと、送風ファン側吹出口１３ａと背面側吹出口１３ｂの中間に位置する上面側吹出口１３ｃで形成し、前記吸込口６と蒸発器８、凝縮器９、送風ファン１０、吹出口１３を連通して送風経路１８を形成している。
【００１６】
１９は前記送風経路１８の底面を形成するケーシングで、このケーシング１９の前記水平ルーバー１６背面側端部１６ａの下方位置に段部２０を一体に設けることで、背面側吹出口１３ｂから指を差し入れて取手２１を握るろうとする際に、段部２０が指先の入り込みを防止してするので、指先が水平ルーバー１６の底面に入り込み水平ルーバー１６を下方から押上げることで、回動方向の荷重によって水平ルーバー１６を破損させる危険性が極めて少なくなるものである。
【００１７】
前記取手２１は転倒時には天板５の吹出口１３左右に形成された溝２２によって、中央から後ろ側にかけて収納され、起立時には天板５の略中央の溝２２に設けられた取手用軸（図示せず）を中心として回動して上面中央上方に位置するものであり、回動自在でコの字型に形成され、使用時には回動して吹出口７上方に位置し除湿機運搬に使用する。
【００１８】
２３は前記天板５の前側端部に設けられた操作部で、運転スイッチやタイマースイッチ等のスイッチ類（図示せず）や運転ランプ等の表示部（図示せず）を備え、この操作部２３の裏面であり、下方にはスイッチやランプが固定され、回路構成を備えた操作部基盤２４が設けられている。
【００１９】
前記蒸発器８の下方には結露水を受けるドレン皿２５を設けている。２６は一方をこのドレン皿２５の底面に接続し、他方をドレンタンク２７の上部に位置させた排水路で、前記ドレン皿２５で集めた結露水を前記ドレンタンク２７へ導くものである。３６は除湿機運搬用のコの字型の取っ手で、除湿機上面の後ろ側に収納され、使用時には回動して吹出口７上方に位置し除湿機運搬時に使用する。
【００２０】
除湿機が運転を開始すれば圧縮機（図示せず）とファンモータ１１が始動し、蒸発器８は低温に、凝縮器９は高温になる、そして吸込口６から吸い込まれた室内の空気は蒸発器８で冷却され結露し、ここで生じた結露水はドレン皿２５で集められドレンタンク２７に導かれる。蒸発器８を通過した空気は凝縮器９で加熱され送風ファン１０を通過して吹出口１３から乾燥空気が上方向又は背面方向に吹き出されるものである。
また、前記段部２０は送風方向と平行な多数のリブによって形成すれば送風経路１８を狭めることなく、効果的に指先の侵入を防止することができるものである。
【００２１】
このように、送風ファン側吹出口１３ａから背面側吹出口１３ｂの間の送風経路１８で、水平ルーバー背面側端部１６ａの下方に段部２０を設けたので、背面側の吹出口１３ｂから指を差し入れて取手２１を握るろうとする際に、段部２０が指先の入り込みを防止してするので、指先が水平ルーバー１６の底面に入り込み水平ルーバー１６を下方から押上げることで、回動方向の荷重によって水平ルーバー１６を破損させる危険性が極めて少なくなるものである。
【符号の説明】
【００２２】
１  枠体
６  吸込口
１３  吹出口
１４  ケーシング
１５  上面部
１６  水平ルーバー
２０  段部
２１  取手
【図１】
2015098998.tif 000003
【図２】
2015098998.tif 000004
【図３】
2015098998.tif 000005
【図４】
2015098998.tif 000006